(57)【特許請求の範囲】
【請求項１】
マクロセル及びフェムトセルを含むセルラー式無線通信ネットワークにおける基地局を制御する方法であって、
前記ネットワークの他の基地局からの信号のユーザ機器による測定値を取得する工程と、
フェムトセルレイヤ又はマクロセルレイヤの干渉に重大な変更が生じたかを、前記ユーザ機器による測定値から判定する工程と、
干渉に重大な変更が生じていると、搬送波、スクランブルコード、最大上り総電力及び最大下り総電力の少なくとも１つの選択のために、電源投入時に実行するアルゴリズムを再実行する工程と、
干渉に重大な変更が生じていないと、前記ユーザ機器による測定値に基づき前記基地局の総送信電力の最大値を適応させる工程と、
を含むことを特徴とする方法。
【請求項２】
前記基地局内で、前記総送信電力の最大値を自律的かつ動的に適応させることを特徴とする請求項１に記載の方法。
【請求項３】
前記総送信電力の最大値を適応させる工程は、ブロードキャストチャネル送信及び測定された受信信号強度から復号される情報から導出される、周囲のマクロレイヤ基地局及び他の基地局の送信電力と前記マクロレイヤ基地局及び他の基地局へのパスの損失の情報に基づくことを含むことを特徴とする請求項１又は２に記載の方法。
【請求項４】
前記総送信電力の最大値を適応させる工程は、測定された主要な干渉物がマクロレイヤ基地局であるか、近くのアクセスポイントであるかの情報に基づくことを特徴とする請求項１又は２に記載の方法。
【請求項５】
前記測定された主要な干渉物がマクロレイヤ基地局であるか、近くのアクセスポイントであるかを示す前記情報が、前記干渉物の前記受信ブロードキャストチャネルで運ばれる識別情報及びそれからのＲＦ信号測定値に基づくものであることを特徴とする請求項４に記載の方法。
【請求項６】
前記総送信電力の最大値を適応させる工程は、前記基地局と、前記基地局との呼が許容されたＵＥとの間のパス損失についての履歴統計の情報と、所定の最大許容パス損失の値に基づくことを特徴とする請求項１又は２に記載の方法。
【請求項７】
前記総送信電力の最大値を適応させる工程は、前記基地局との呼におけるＵＥで測定された受信信号／干渉比についての履歴統計の情報、及び所定の最小信号／干渉比に基づくことを特徴とする請求項１又は２に記載の方法。
【請求項８】
前記受信信号／干渉比の測定値は、前記基地局によって要求されることを特徴とする請求項７に記載の方法。
【請求項９】
前記総送信電力の最大値を適応させる工程は、前記基地局との呼におけるＵＥと近くのｎｏｄｅＢとの間のパス損失についての履歴統計の情報に基づくことを特徴とする請求項１又は２に記載の方法。
【請求項１０】
前記パスの損失の測定値が前記基地局によって要求されることを特徴とする請求項９に記載の方法。
【請求項１１】
前記総送信電力の最大値を適応させる工程は、前記基地局とターゲットカバレージエリア内のユーザ端末との間の通信パスについての往復遅延の情報、及び所定の最大許容往復遅延に基づくことを特徴とする請求項１又は２に記載の方法。
【請求項１２】
前記総送信電力の最大値を適応させる工程は、未許可のユーザによるアクセス試行の情報に基づくことを特徴とする請求項１又は２に記載の方法。
【請求項１３】
前記基地局の総送信電力の最大値を適応させる工程の前に、
ＵＥと通信するために選択された搬送波が、隣接するマクロレイヤ基地局又は他の基地局によって未使用かどうかを判定する工程を有し、
検出されたマクロレイヤ基地局又は他の基地局のＣＰＩＣＨ信号がなく、前記搬送波における受信信号強度インジケータ（ＲＳＳＩ）が最小干渉閾値未満である場合、搬送波が未使用であると判定することを特徴とする請求項１に記載の方法。
【請求項１４】
前記搬送波が、隣接するマクロレイヤ基地局又は他の基地局によって未使用でない場合、隣接するマクロレイヤ基地局によってもたらされる前記干渉が、隣接する他の基地局によってもたらされる前記干渉を上回るか、下回るかを判定する工程を更に有することを特徴とする請求項１３に記載の方法。
【請求項１５】
前記基地局の総送信電力の最大値を適応させる工程が、
前記搬送波が、隣接するマクロレイヤ基地局又は他の基地局によって未使用である場合、前記基地局の前記総送信電力を第１のレベルに設定する工程と、
前記搬送波が、隣接するマクロレイヤ基地局又は他の基地局によって未使用でなく、隣接するマクロレイヤ基地局によってもたらされる前記干渉が隣接する他の基地局によってもたらされる前記干渉を上回る場合、前記基地局の前記総送信電力を第２のレベルに設定する工程と、
前記搬送波が、隣接するマクロレイヤ基地局又は他の基地局によって未使用でなく、隣接するマクロレイヤ基地局によってもたらされる前記干渉が隣接する他の基地局によってもたらされる前記干渉を下回る場合、前記基地局の前記総送信電力を第３のレベルに設定する工程を有することを特徴とする請求項１４に記載の方法。
【請求項１６】
前記第１、第２、又は第３のレベルが最大許容電力閾値を上回るかどうかを判定する工程と、
前記第１、第２、又は第３のレベルが最大許容電力閾値を上回る場合、前記基地局の前記総送信電力を前記最大許容電力閾値に再設定する工程と、
前記第１、第２、又は第３のレベルが最大許容電力閾値を上回らない場合、前記基地局の前記総送信電力をその設定レベルに維持する工程と、
を更に有することを特徴とする請求項１５に記載の方法。
【請求項１７】
請求項１から１６のいずれか１項に記載の前記方法を実行するように構成されていることを特徴とする基地局。
【請求項１８】
請求項１７に記載の基地局を少なくとも１つと、
前記ネットワークの基地局からの信号の測定値を提供する少なくとも１つのモバイル機器と、
を備えていることを特徴とするセルラー式無線通信ネットワーク。
【発明の詳細な説明】
【技術分野】
【０００１】
本発明は、セルラー式無線通信ネットワークにおいて基地局として機能するアクセスポイントに関し、特に、許容できるカバレージを確保しながら、干渉を回避するような方法で、アクセスポイントの最大送信電力レベルが制御されるアクセスポイントに関する。
【背景技術】
【０００２】
従来のセルラー式ネットワークにおいて、基地局は、ネットワークオペレータがサービスの要求があると予想するエリアのカバレージを提供するために、ネットワークオペレータよって設置される。ネットワークプランナは、あるカバレージ及びサービス品質（ＱｏＳ）を確保するために、基地局の場所を選択することができ、基地局自体、及び基地局との通信を確立するモバイル機器の最大送信電力を設定することもできる。これらの目的を達成するために、プロセスは、詳細な実地調査、及び地理的な計画を必要とする。最大送信電力が設定されると、これは、基地局からの送信を正常に受信することができる範囲を決定するため、実質上、基地局によってサービスが提供されるセルのサイズを設定する。最大送信電力は、最初に設定された後、めったに変更されないが、例えば、無線ネットワークへの変更のためなど、必要に応じて、ネットワークから変更することができる。
【０００３】
最大送信電力が基地局に設定され、呼が進行中であるとき、電力制御もこうした呼内での送信に適用される。最初に、例えば、受信されたアクセス要求の電力に基づいて、初期送信電力が設定され、その後、その呼に関与するモバイル機器によって行われ、基地局に報告が戻される信号強度測定に基づいて、電力制御が送信に適用される。こうした電力制御は、非常に迅速に動作することができる。例えば、その送信のために基地局によって使用される電力レベルは、キロヘルツ範囲の頻度で適応できる。即ち、信号強度測定値が変動を示す場合、電力レベルは、理論上、１秒当たり何度も変更することができる。
【先行技術文献】
【特許文献】
【０００４】
【特許文献１】米国特許第６，３１４，２９４号公報
【発明の概要】
【発明が解決しようとする課題】
【０００５】
アクセスポイント（フェムトセル基地局（femtocell basestation）としても知られる）の場合、これらは、家又はオフィス内の場所のために顧客自身によって購入することができることを目的としており、例えば、それらが配置されている建物内のみなど、相対的に小さい地理的エリアに亘ってセルラー式カバレージを提供することを目的としている。こうした装置について、高価な実地調査及び詳細な無線ネットワークプランニングは考えられない。従って、こうした装置が、局所的な無線環境に基づいて、それ自体を構成することができなければならないことが提案される。
【０００６】
米国特許第６，３１４，２９４号公報は、無線システムによって集められるデータを使用して、ＲＦ送信電力レベルが自己較正される基地局に関するものである。
【課題を解決するための手段】
【０００７】
本発明の第１の態様によれば、セルラー式無線通信ネットワークにおける基地局を制御する方法であって、
基地局内で、基地局の総送信電力の最大値を自律的かつ動的に適応させることを含む方法が提供される。
【０００８】
本発明の第２の態様によれば、本発明の第１の態様による方法を実行するように構成された基地局が提供される。
【０００９】
これは、ネットワークがあまり介入せずに、局所的な無線環境に基づいて、基地局がそれ自体を構成することができるという効果を有する。
【００１０】
本発明をより理解するために、また、それがどのように実施されるかを示すために、ここで、一例として添付の図面を参照する。
【図面の簡単な説明】
【００１１】
【図１】セルラー式無線通信ネットワークの一部分を示す概略ブロック図である。
【図２】搬送波選択アルゴリズムを示すフローチャートである。
【図３】スクランブルコードの選択アルゴリズムを示すフローチャートである。
【図４】初期ダウンリンク最大送信電力を選択するためのアルゴリズムを示すフローチャートである。
【図５】初期アップリンク最大送信電力を選択するためのアルゴリズムを示すフローチャートである。
【図６】アップリンク及びダウンリンクの最大送信電力を適応させるためのアルゴリズムを示すフローチャートである。
【図７】マクロレイヤ干渉が検出された場合に、アップリンク及びダウンリンクの最大送信電力を適応させるためのアルゴリズムを示すフローチャートである。
【図８】マクロレイヤ又はフェムトセル基地局レイヤにおいて干渉が検出されない場合に、アップリンク及びダウンリンクの最大送信電力を適応させるためのアルゴリズムを示すフローチャートである。
【発明を実施するための形態】
【００１２】
図１は、本発明の一態様に係るセルラー式無線通信ネットワークの一部分を示す。具体的には、図１は、セルラー式無線通信ネットワークのコアネットワーク（ＣＮ）１０、及び無線ネットワーク（ＲＮ）１２を示す。これらは一般に、従来型であり、本願では、単に、本発明の理解に必要な、限られた範囲で示され、記載されている。
【００１３】
従って、コアネットワーク１０は、公衆交換電話網（ＰＳＴＮ）（図示せず）への接続、及びパケットデータネットワーク、例えばインターネット１４などへの接続を有する。無線ネットワーク１２は、例えば、ＧＳＭ（登録商標）無線ネットワーク及び／又はＵＭＴＳ無線ネットワークを含むことができ、そしてそれらは、一般に従来型のものである。図１に示されるように、無線ネットワーク１２には、基地局（ＢＳ）１６が接続されている。当業者には認識されるように、一般の無線ネットワーク１２には、こうした多くの基地局が接続される。これらの基地局は、加入者がサービスを使用可能なように、それぞれの地理的エリア又はセルにわたるカバレージを提供する。多くの場合、意図されたサービスエリアの全体にカバレージを共に提供する基地局のグループがあり、一方、その意図されたサービスエリア内のより小さいエリア、特に、より多くのサービスの要求が予想される小さいエリアに追加のカバレージを提供する基地局もある。次いで、第１のグループの基地局によってサービスが提供されるセルは、マクロセルと呼ばれ、一方、追加の基地局によってサービス提供されるより小さいエリアは、マイクロセルと呼ばれる。
【００１４】
また、図１は、例えば、単一の家又はオフィスの建物内など、非常に小さいエリアにわたるカバレージを提供するために使用することができる追加の基地局１８も示している。これは、フェムトセル基地局（ＦＢＳ）と呼ばれる。フェムトセル基地局１８は、顧客の既存の広帯域インターネット接続２０によって、インターネット１４を介して、移動ネットワークオペレータのコアネットワーク１０に接続される。これにより、従来の携帯電話２２のユーザは、任意の他の携帯電話が、移動ネットワークオペレータのネットワークの他の基地局のうちの１つ、例えば、基地局１６を介して接続を確立することができる同じ方法で、フェムトセル基地局１８を介して別の装置との接続を確立することができる。
【００１５】
コアネットワーク１０は、より詳細に後述するように、ＦＢＳ１８に情報を提供する管理システム（ＭＳ）２４を含む。
【００１６】
上述したように、携帯電話２２がフェムトセル基地局１８のカバレージエリア内にある間、マクロセル基地局は、フェムトセル基地局１８の場所及び携帯電話２２の場所を含む意図されたサービスエリアの全体にカバレージを提供する。しかし、ネットワークは、フェムトセル基地局１８に登録されたモバイル機器がフェムトセル基地局１８のカバレージエリア内にあるとき、マクロレイヤの基地局１６ではなく、フェムトセル基地局１８との接続を優先的に確立するように構成される。
【００１７】
フェムトセル基地局１８は、最初に電源が投入されると、ネットワークにおけるフェムトセル基地局の動作を一般に制御する管理システムから提供されたリストから、搬送波周波数及びスクランブルコードを選択する。そのリストにおける搬送波周波数及びスクランブルコードは、マクロレイヤのｎｏｄｅＢ（ノードＢ）及び他のフェムトセル基地局を含めて、ネットワークにおける他の基地局と共有されるため、搬送波周波数及びスクランブルコードは、マクロレイヤの隣接するｎｏｄｅＢ及び隣接するフェムトセル基地局にもたらす干渉が最も小さくなるように選択される。
【００１８】
その後、基地局は、最も低い干渉を生成するために、認められた１組の搬送波周波数からその搬送波周波数を自律的かつ動的に選択することができ、認められた１組のコードからそのスクランブルコードを自律的かつ動的に選択することができる（図２及び図３参照）。
【００１９】
また、フェムトセル基地局１８は、最大総ダウンリンク電力、及びモバイル機器総送信電力レベル（total mobile transmit power level）の初期値を選択する（図４及び図５参照）。この初期値は、例えば、モバイル機器が使用される場所のタイプについての仮定に基づいて、フェムトセル基地局１８において事前に設定することができる。例えば、モバイル機器は、一般に、特定のサイズ（例えば９０から２５０平方ｍ）までの家又は小さいオフィスで使用されると仮定することができ、結果としてもたらされる信号減衰についてさらに仮定することができ、これは、そのエリアにわたる妥当なカバレージを確保しながら、マクロレイヤの隣接するｎｏｄｅＢ及び隣接するフェムトセル基地局との干渉を回避するために、最大総ダウンリンク電力にどの値を設定すべきかを決定するために使用することができる。
【００２０】
この場合もまた、フェムトセル基地局１８は、その総送信電力（制御チャネル及びトラフィックチャネルの送信電力を含む）及び基地局に接続されているモバイル機器の総送信電力の両方を自律的かつ動的に適応させることができる。
【００２１】
基地局から関連のモバイル機器への各通信パスに影響を与える急な変更を考慮に入れるために、アップリンク（ＵＬ）方向及びダウンリンク（ＤＬ）方向における送信電力を迅速に調整することができるように、セルラー式通信システムにおいて、電力制御が適用されるべきであることは、よく知られている。ＵＭＴＳシステムにおいて、これを達成するために使用される機能のグループは、ＵＬ及びＤＬの両方向における開ループ電力制御、内部ループ（又は高速）ＰＣ及び外部ループ電力制御である。低速の電力制御もＤＬ共有チャネルに適用される。開ループ電力制御には、ＵＥがネットワークにアクセスしているとき、ＵＬ及びＤＬの初期送信電力を設定する役割がある。２つのタイプの内部ループ電力制御アルゴリズムがあり、それらはいずれも、１５００Ｈｚごとに動的に送信を調整する。外部ループ電力制御は、必要な品質が提供されるように、受信品質を推定し、高速閉ループ電力制御に合わせてターゲットＳＩＲ（信号対干渉比）を調整する。
【００２２】
しかし、本発明の態様によれば、基地局の総送信電力（制御チャネル及びトラフィックチャネルの送信電力を含む）、及び基地局に接続されたモバイル機器の総送信電力も、基地局自体によって自律的に適応可能に制御される。
【００２３】
この制御は、例えば、基地局自体によって行われた測定に基づいて行うことができる。  即ち、基地局は、マクロレイヤ基地局及び他のフェムトセル基地局を含めて、他の基地局によって送信された信号を検出することができる。基地局は、検出された干渉がマクロレイヤ基地局であるか、フェムトセル基地局であるかを、その干渉の受信したブロードキャストチャネルで運ばれる識別情報及びそれからのＲＦ信号測定値に基づいて識別することができる。好ましくは、基地局は、その電源が最初に投入されたとき、次いで、操作中に断続的に、これらの測定を行うために、それ基地局からの送信を一時的に停止する。
【００２４】
従って、電源投入時に、ＲＳＣＰ（受信信号コードパワー）値が、使用可能な全ての搬送波について、全ての周囲のフェムトセル基地局及びマクロレイヤｎｏｄｅＢのＣＰＩＣＨ（共有パイロットチャネル）について決定される。最も低い干渉を示す搬送波が選択され、この場合、最も低い干渉は、次のように定義される。
【００２５】
図２は、フェムトセル基地局が初期搬送波を選択する好ましいアルゴリズムを示すフローチャートである。
【００２６】
最初の工程５０で、マクロレイヤ（ＭＬ）における許容搬送波のそれぞれ、及びフェムトセル基地局レイヤ（ＦＢＬ）における許容搬送波のそれぞれについて、干渉が計算される。各搬送波のマクロレイヤ干渉は、各搬送波における検出されたスクランブルコードごとに、マクロレイヤＣＰＩＣＨ＿ＲＳＣＰをミリワットで決定することによって計算される。搬送波当たりの総マクロレイヤ干渉電力を計算するために、これらの個々のマクロレイヤＣＰＩＣＨ＿ＲＳＣＰが合計される。次いでこの値は、ｄＢｍに再変換される。
【００２７】
各搬送波のフェムトセル基地局レイヤ干渉を決定するために、同様の方法が使用される。フェムトセル基地局レイヤＣＰＩＣＨ＿ＲＳＣＰは、各搬送波における検出されたスクランブルコードごとにミリワットで決定される。搬送波当たりの総フェムトセル基地局干渉電力を計算するために、これらの個々のフェムトセル基地局ＣＰＩＣＨ＿ＲＳＣＰが合計される。次いでこの値は、ｄＢｍに再変換される。
【００２８】
次の工程５２で、複数の許容搬送波があるかどうかが判定される。
【００２９】
許容搬送波が１つだけある場合、プロセスは、工程５４に進み、その搬送波のマクロレイヤの干渉が、最大マクロレイヤ干渉閾値未満であるかどうかを判定する。そうである場合、フェムトセル基地局によって搬送波が選択される。干渉が閾値以上の場合、エラーが生成される。
【００３０】
許容搬送波が複数ある場合、プロセスは、工程５６に進み、マクロレイヤにおける許容搬送波のうちの任意の搬送波が現在未使用かどうかを判定する。以下、検出されたｎｏｄｅＢのＣＰＩＣＨ信号がなく、搬送波における受信信号強度インジケータ（ＲＳＳＩ）が最小のマクロレイヤ干渉閾値未満である場合、マクロレイヤにおいて搬送波が未使用であるとみなされる。
【００３１】
マクロレイヤにおいて未使用の許容搬送波がある場合、次いでプロセスは、工程５８で、フェムトセル基地局レイヤにおける任意の許容搬送波があるかどうかを判定する。以下、検出されたフェムトセル基地局のＣＰＩＣＨ信号がなく、搬送波におけるＲＳＳＩが最小のフェムトセル基地局レイヤ干渉閾値未満である場合、フェムトセル基地局レイヤにおいて搬送波が未使用であるとみなされる。フェムトセル基地局レイヤにおいて未使用の許容搬送波がある場合、ＲＳＳＩが最も低いフェムトセル基地局レイヤが選択される。フェムトセル基地局レイヤにおいて未使用の許容搬送波がない場合、（工程５０で計算されたような）干渉が最も小さいフェムトセル基地局レイヤ搬送波が選択される。
【００３２】
工程５６で、マクロレイヤにおいて未使用の搬送波がないことが決定された場合、プロセスは、工程６０に進み、ここで、（工程５０で計算されたような）マクロレイヤ干渉が最小となる搬送波が選択される。工程６２で、この搬送波のマクロレイヤの干渉は、最大マクロレイヤ干渉閾値と比較される。干渉が閾値未満である場合、この搬送波が選択される。干渉が閾値以上の場合、エラーが生成される。
【００３３】
そこで搬送波がいったん選択されると、使用可能なスクランブルコードのリストから、コードが選択される。例えば、全ての使用可能なコードのＣＰＩＣＨ＿ＲＳＣＰをランク付けして、ＣＰＩＣＨ＿ＲＳＣＰ値が最も低いコードを選択することもできる。
【００３４】
図３は、スクランブルコードが選択される好ましいアルゴリズムを示すフローチャートである。このアルゴリズムは、一般に、図２を参照して上述した搬送波選択アルゴリズムの後に適用される。
【００３５】
工程７０で、選択された搬送波の許容されるスクランブルコードごとの干渉が計算される。この工程は、選択された搬送波を使用している基地局ごとに、検出されたフェムトセル基地局ＣＰＩＣＨ＿ＲＳＣＰを、スクランブルコードごとにグループ分けし、合計することによって行われる。
【００３６】
工程７２で、プロセスは、検出されたフェムトセル基地局によって使用されていない任意のスクランブルコードがあるかどうかを判定する。未使用のコードがある場合、これらのうちの１つがスクランブルコードとして選択される。未使用のコードのリストからのスクランブルコードの選択は、配置された２つのアクセスポイントが同じコードを選択する可能性を最低限に抑えるために、無作為化される。
【００３７】
未使用のコードがない場合、プロセスは、工程７４に進み、ここで、（工程７０で計算されたような）干渉が最小であるコードが選択される。このコードにおける干渉が最大閾値以下の場合、そのコードが選択される。その干渉が最大閾値よりも大きい場合、エラーが生成される。
【００３８】
更に、搬送波及びスクランブルコードの初期選択を、ＵＥからの測定に基づいて変更することができる。ＵＥは、フェムトセル基地局の局所的なシャドーイング（local shadowing）により、初期搬送波又はスクランブルコードが最適ではなかったことを示すことができる測定値を、隣接する搬送波から報告する。
【００３９】
搬送波及びコード選択アルゴリズムの後、無線測定データの報告が中央管理システムに戻され、これが指定された閾値と照合される。選択されたコード／搬送波の干渉レベルが、測定システムによって設定された事前に定義された閾値以上であること、及び従って基地局が、許容可能に機能することができる場所にないことが決定された場合、エラーメッセージがユーザに提供され、家の中のより最適な場所への装置の再配置を提案する。
【００４０】
次いで、初期最大電力値を設定することができる。マクロレイヤの干渉が勝る場合、初期最大ダウンリンク送信電力は、一般に６０ｄＢの公称室内パス損失（nominal in-door path loss）も含めて、最も強いマクロレイヤＣＰＩＣＨ＿ＲＳＣＰレベルに基づいて設定される。或いは、マクロレイヤの干渉がほとんどない、又はまったくない搬送波が選択された場合、最大ＤＬ送信電力が、最も強いＣＰＩＣＨ＿ＲＳＣＰレベルを示す隣接するフェムトセル基地局（即ち、最大のフェムトセル基地局干渉）と同じレベルに設定される。これは、配置されたフェムトセル基地局について同じＱｏＳを維持するために行われる。マクロレイヤの干渉もフェムトセル基地局の干渉もない場合、初期最大ＤＬ送信電力は、６０ｄＢの公称室内パス損失を含めて、（平均データサービスの）予想されるＵＥ感度に従って設定される。これは、既存の無線アクセスネットワーク（ＲＡＮ）設計の実践とは異なり、最大ＤＬ送信電力は、予想されるカバレージを確保するために、ＲＦプランナによって設定される。
【００４１】
最大アップリンクフェムトセル基地局ＵＥ送信電力は、まず、隣接するマクロレイヤｎｏｄｅＢ、一般に最も近いものへの最も小さいパスの損失を決定することによって計算される。最小のマクロレイヤｎｏｄｅＢの感度を最も小さいパスの損失と合計することによって、最大ＵＬ  Ｔｘ電力を計算することができる。この方法は、フェムトセル基地局ＵＥによってもたらされるノイズの増加を、マクロレイヤセルトラフィックによってもたらされるノイズ未満に保つ。同様に、マクロレイヤの干渉が検出されない場合、フェムトセル基地局は、その最大ＤＬ送信電力を、最強のＣＰＩＣＨ＿ＲＳＣＰレベルを示す隣接するフェムトセル基地局と同じレベルに設定する。マクロレイヤの干渉もフェムトセル基地局の干渉もない場合、初期ＵＬ送信電力は、（平均データサービスの）フェムトセル基地局感度及び６０ｄＢの公称パス損失に従って設定される。この場合も、これは、既存の無線アクセスネットワーク（ＲＡＮ）設計とはまったく異なり、最大ＤＬ送信電力は、予想されるカバレージ及びＵＥのバッテリ寿命を確保するために、ＲＦプランナによって設定される。
【００４２】
図４は、フェムトセル基地局が初期ＤＬ最大送信電力を選択する好ましいアルゴリズムを示すフローチャートである。
【００４３】
工程１００で、フェムトセル基地局レイヤ及びマクロレイヤにおける選択された搬送波について、干渉が計算される。この工程は、搬送波選択アルゴリズム中にすでに実行されている（図２の工程５０）。
【００４４】
工程１０２で、選択された搬送波がマクロレイヤ及びフェムトセル基地局レイヤにおいて未使用であるかどうかを判定する。この場合も、この工程は、搬送波選択アルゴリズム中にすでに実行されている（図２の工程５６及び５８）。
【００４５】
マクロレイヤ及びフェムトセル基地局レイヤにおいて搬送波が未使用である場合、初期ＤＬ最大送信電力は、ＵＥＰｒｘ．ｍｉｎ、即ち特定のデータ又は音声サービスをサポートするためにフェムトセル基地局のＵＥによって必要とされる平均最小信号電力に、最小室内損失、即ち必要なカバレージを提供する許容される室内パス損失に対応するパラメータ、を加算することにより設定される（工程１０４）。この最小室内損失は、中央管理システムによって提供される。
【００４６】
選択された搬送波がマクロレイヤ又はフェムトセル基地局レイヤによって未使用である場合、プロセスは工程１０６に進み、選択された搬送波について、マクロレイヤの干渉とフェムトセル基地局の干渉とが比較される。マクロレイヤの干渉が大きい場合、工程１０８に進み、初期ＤＬ最大送信電力は、（上述したように）（最小室内損失）＋（検出ＲＳＣＰ値が最大のｎｏｄｅＢのＲＳＣＰ値）−｛１０×ｌｏｇ１０（ＣＰＩＣＨに割り振られた総フェムトセル基地局電力の割合）｝により設定される。
【００４７】
ＣＰＩＣＨに割り振られた総ダウンリンク送信電力の割合は、中央管理システムによって提供されるパラメータである。
【００４８】
工程１０６で、フェムトセル基地局の干渉がマクロレイヤの干渉以上であると判定された場合、初期ＤＬ最大送信電力は、工程１１０で、（検出ＲＳＣＰ値が最大である隣接するフェムトセル基地局のＣＰＩＣＨ電力）−｛１０×ｌｏｇ１０（ＣＰＩＣＨに割り振られた総フェムトセル基地局電力の割合）｝により設定される。
【００４９】
前述したように、ＣＰＩＣＨに割り振られた総ダウンリンク送信電力の割合は、管理システムによって提供されるパラメータである。
【００５０】
工程１０４，１０８又は１１０のうちの１つで、初期ＤＬ最大送信電力がいったん設定されると、プロセスは、工程１１２で、初期ＤＬ最大送信電力が最大許容フェムトセル基地局ＤＬ電力（管理システムによって設定されたパラメータ）を上回るか、下回るかをチェックする。初期ＤＬ最大送信電力が最大許容電力以下の場合、それは、その元の値のままである。しかし、初期ＤＬ最大送信電力が最大許容電力よりも大きい場合、初期ＤＬ最大送信電力は、最大許容電力に再設定され、管理システムに警告が送信される。例えば、初期ＤＬ最大送信電力が特定の音声又はデータサービスを稼働させるのに必要な電力を下回ること、又はＤＬ電力が現在その最大許容レベルであることを示すフラグを設定することもできる。
【００５１】
図５は、フェムトセル基地局が初期ＵＬ最大送信電力を選択する好ましいアルゴリズムを示すフローチャートである。
【００５２】
工程１５０及び１５２では、フェムトセル基地局レイヤ及びマクロレイヤにおける選択された搬送波の干渉を計算し、選択された搬送波がフェムトセル基地局レイヤ又はマクロレイヤでそれぞれ使用されているかどうかをチェックしている。これらの工程はいずれも、搬送波選択アルゴリズムの一部分として以前に実行されており、図２を参照してより詳細に説明されている。
【００５３】
マクロレイヤ及びフェムトセル基地局レイヤにおいて搬送波が使用されていない場合、工程１５４で、初期ＵＬ最大送信電力は、ＦＢＰｒｘ．ｍｉｎ、即ち特定のデータ又は音声サービスをサポートするためにフェムトセル基地局によって必要とされる平均最小信号電力に、最小室内損失、即ち必要なカバレージを提供する許容される室内パス損失を加算した値に設定される。
【００５４】
搬送波がフェムトセル基地局レイヤ又はマクロレイヤにおいて使用されている場合、プロセスは工程１５６に進み、選択された搬送波について、マクロレイヤの干渉とフェムトセル基地局レイヤの干渉とが比較される。フェムトセル基地局の干渉が大きい場合、初期ＵＬ最大送信電力は、工程１５８で、パス損失が最小のフェムトセル基地局の最大ＵＥ送信電力に設定される。この値は、まず、以下の式を使用して、フェムトセル基地局から検出されたフェムトセル基地局へのパスの損失を計算することによって決定される。
【００５５】
ＬＦＢ−ＦＢ＝ＣＰＩＣＨ＿Ｔx＿ＰｏｗｅｒＦＢ−ＣＰＩＣＨ＿ＲＳＣＰＦＢ
式中、ＣＰＩＣＨ＿Ｔx＿ＰｏｗｅｒＦＢは、検出されたフェムトセル基地局のブロードキャストチャネルから読み取られたＣＰＩＣＨ送信電力である。次いで、フェムトセル基地局への最小パス損失を有する隣接するフェムトセル基地局のブロードキャストチャネルから読み取られた最大ＵＥ送信電力が選択される。
【００５６】
この選択された搬送波について、マクロレイヤの干渉がフェムトセル基地局の干渉より大きい場合、次いで、工程１６０で、ｎｏｄｅＢからフェムトセル基地局へのパスの損失が計算される。パスの損失は、以下の式を使用して計算される。
【００５７】
ＬＮｏｄｅＢ−ＦＢ＝ＣＰＩＣＨ＿Ｔx＿ＰｏｗｅｒＮｏｄｅＢ−ＣＰＩＣＨ＿ＲＳＣＰＮｏｄｅＢ
式中、ＣＰＩＣＨ＿Ｔx＿ＰｏｗｅｒＮｏｄｅＢは、検出されたｎｏｄｅＢのブロードキャストチャネルから読み取られたＣＰＩＣＨ送信電力である。
【００５８】
初期ＵＬ最大送信電力は、工程１６４で、ＭＬＰｒｘ．ｍｉｎ、即ち特定のデータ又は音声サービスをサポートするために、ｎｏｄｅＢによって必要とされる平均最小信号電力に、ｎｏｄｅＢからフェムトセル基地局への最小パス損失に対応するＲＳＣＰ値を加算して設定される。
【００５９】
工程１５４，１５８、又は１６４のうちの１つで、初期ＵＬ最大送信電力がいったん設定されると、プロセスは工程１６６に進み、その初期ＵＬ最大送信電力と最大許容フェムトセル基地局ＵＬ電力とが比較される。ＵＬ最大送信電力が最大許容電力以下の場合、初期ＵＬ最大送信電力がその元のレベルで維持される。ＵＬ最大送信電力が最大許容電力よりも大きい場合、初期ＵＬ最大送信電力は、管理システムによって定義された最大許容電力に再設定される。また、ＵＬ電力がいくつかのデータ又は音声サービスにとって不十分である可能性がある旨、又はＵＬ電力が現在その最大許容レベルである旨の警告が管理システムに送信される。
【００６０】
動作中、ＤＬ及びＵＬの最大送信電力は、アイドルモード又はＲＲＣ接続モード（ＣＥＬＬ＿ＤＣＨ状態）中、フェムトセル基地局ＵＥによって報告される規則的なＣＰＩＣＨ＿ＲＳＣＰ及びＣＰＩＣＨ  Ｅｃ／ｌｏ測定値を介して適応される。適応アルゴリズムは、フェムトセル基地局のＵＥが、予想されるカバレージエリア（即ち、家又はオフィス）内に大部分の時間の間とどまっていると仮定する。この適応アルゴリズムは、ＣＰＩＣＨ  Ｅｃ／ｌｏ（又はＱｏＳ）が音声サービス及びデータサービスの両方に適したレベルを維持することを確実にするために、許容されるＵＬ及びＤＬの最大送信電力レベルをゆっくり増減させる。フェムトセル基地局は、ある期間に亘って局所的なマクロレイヤ干渉があることを検出した場合、アクティブセル及び隣接するセルのフェムトセル基地局のＵＥ測定値から２組のヒストグラムを構築する。第１のヒストグラムは、フェムトセル基地局のＵＥと隣接するマクロレイヤのｎｏｄｅＢとの間のパスの損失であり、第２の組のヒストグラムは、フェムトセル基地局のＵＥとフェムトセル基地局との間のパスの損失、及びフェムトセル基地局のＵＥ  ＣＰＩＣＨ  Ｅｃ／ｌｏ測定値である。適応アルゴリズムは、一般に、全てのフェムトセル基地局のＵＥ  ＣＰＩＣＨ  Ｅｃ／ｌｏ測定値の９０％が特定のレベル（例えば、−１０から−１５ｄＢ）を上回るように保持しようと試みるが、フェムトセル基地局ＵＥからフェムトセル基地局へのパスの損失の測定値の１％（即ち、最大パス損失）しか、フェムトセル基地局ＵＥとマクロレイヤｎｏｄｅＢとの間のパスの損失（即ち、最小パス損失）を超えることができない。更に、適応アルゴリズムは、時間の９５％において、フェムトセル基地局からフェムトセル基地局ＵＥの最大パス損失を一般的に９０ｄＢ未満に許容する。ＵＬ及びＤＬのパスの損失が相互的であると仮定することによって、同じ適応アルゴリズムを使用して、ＤＬ及びＵＬの最大送信電力レベルが設定される。
【００６１】
また、フェムトセル基地局は、ダウンリンクフレームをスチールすることによって、定期的に「スニフィング」（例えば１００秒ごとなど）することによりＵＥ測定値を集めることもできる。
【００６２】
図６は、フェムトセル基地局がＵＬ及びＤＬの最大送信電力を動的に適応させる好ましいアルゴリズムを示すフローチャートである。
【００６３】
上述したように、フェムトセル基地局は、アクティブセル及び隣接するセルのＵＥ測定を定期的に行い、これら測定値は、最大送信電力を適応させるための入力として使用される。ＵＥ測定値を監視することによって、工程２００で、プロセスは、まず、既に選択されている搬送波及びスクランブルコードについて、マクロレイヤ又はフェムトセル基地局レイヤの干渉レベルのいずれかに有意な変更があったかどうかを判定する。この文の「有意な変更」とは、新しい搬送波及び／又はスクランブルコードが再選択されることを必要とする任意の変更を意味する。従って、有意な変更が見つかった場合、プロセスは、工程２０２で、それぞれ図２、図３、及び図４を参照して説明した搬送波選択アルゴリズム、スクランブルコード選択アルゴリズム、及び初期電力セットアップアルゴリズムを再実行する。
【００６４】
これらの「起動」アルゴリズムがいったん実行されると、プロセスは工程２０３に進み、新しい搬送波及び／又はスクランブルコードについて、工程２００を再度実行できるように、ＵＥ測定値のサンプルを再度集める。
【００６５】
マクロレイヤ又はフェムトセル基地局レイヤに有意な変更がない場合、プロセスは、工程２０４において、搬送波がマクロレイヤで使用されているかどうかを判定する。搬送波がマクロレイヤで使用されている（即ち、干渉がマクロレイヤにおいて検出された）場合、電力を適応させるために、マクロレイヤ干渉アルゴリズムが使用される（図７参照）。
【００６６】
搬送波がマクロレイヤにおいて使用されていない場合、プロセスは、工程２０６で、搬送波がフェムトセル基地局レイヤで使用されているかどうかを判定する。搬送波がフェムトセル基地局レイヤにおいて使用されていない（即ち、フェムトセル基地局レイヤにおいて干渉がない）場合、電力を適応させるために「不干渉」アルゴリズム（"no interference algorithm）が使用される（図８参照）。
【００６７】
搬送波がフェムトセル基地局レイヤにおいて使用されている場合、ＵＬ及びＤＬの最大送信電力が以下のように設定される。
【００６８】
ＵＬ最大送信電力は、パス損失が最小のフェムトセル基地局の最大ＵＥ送信電力に設定される。この値は、まず、フェムトセル基地局から検出された周囲のフェムトセル基地局へのパスの損失を計算することによって決定される。次いで、フェムトセル基地局への最小パス損失を有する周囲のフェムトセル基地局のブロードキャストチャネルから読み取られた最大ＵＥ送信電力が選択される。
【００６９】
既に述べたように、以下の式によってパスの損失が決定される。
【００７０】
ＬＦＢ−ＦＢ＝ＣＰＩＣＨ＿Ｔｘ＿ＰｏｗｅｒＦＢ−ＣＰＩＣＨ＿ＲＳＣＰＦＢ
ＤＬ最大送信電力は、検出ＲＳＣＰ値が最大のフェムトセル基地局のＣＰＩＣＨ  Ｔｘ電力から、１０×ｌｏｇ１０（ＣＰＩＣＨに割り振られた総フェムトセル基地局電力の割合）を減算した値が設定される。
【００７１】
即ち、隣接するフェムトセル基地局からの干渉のみが検出された場合、基地局は、その隣接する基地局の電力を使用して、それ自体のＵＬ及びＤＬの最大送信電力を設定する。
【００７２】
図７は、マクロレイヤの干渉が検出された場合、ＵＬ及びＤＬの最大送信電力を適応させるために使用できる好ましいアルゴリズムのフローチャートである。
【００７３】
上述したように、ＵＥ測定値からヒストグラムが生成される。具体的には、これらは、フェムトセル基地局ＵＥから隣接するｎｏｄｅＢへのパスの損失、フェムトセル基地局からフェムトセル基地局ＵＥへのパスの損失、及びフェムトセル基地局ＵＥ  ＣＰＩＣＨ  Ｅｃ／ｌｏ測定値である。これらのヒストグラムから、以下の量を計算することができる。
【００７４】
Ａｖｇ＿Ｅｃ／ｌｏ＝上位１０％のフェムトセル基地局ＵＥ  ＣＰＩＣＨ  Ｅｃ／ｌｏ値の平均
Ａｖｇ＿ＭＬ＿Ｐａｔｈｌｏｓｓ＝下位１％のｎｏｄｅＢからフェムトセル基地局ＵＥへのパスの損失の平均
Ａｖｇ＿ＦＢＬ＿Ｐａｔｈｌｏｓｓ＝上位１０％のＦＢからＦＢ  ＵＥへのパスの損失の平均
Ｐａｔｈｌｏｓｓ＿ａｄｊｕｓｔｍｅｎｔ＝［（１／２）×（Ａｖｇ＿ＦＢＬ＿Ｐａｔｈｌｏｓｓ−Ａｖｇ＿ＭＬ＿Ｐａｔｈｌｏｓｓ）］の絶対値
更に、新しいパラメータ、室内損失が、中央管理システムによって最初に提供された最小室内損失の値に設定される。しかし、最小室内損失は、以下でより詳しく説明するように、ＤＬ及びＵＬの最大電力適応のプロセスが繰り返されるにつれて適応される。
【００７５】
工程２５０で、Ａｖｇ＿Ｅｃ／ｌｏと所望のフェムトセル基地局ＵＥ  ＣＰＩＣＨ  Ｅｃ／ｌｏとが比較される。Ａｖｇ＿Ｅｃ／ｌｏが大きい場合、プロセスは、工程２５２に進み、Ａｖｇ＿ＭＬ＿ＰａｔｈｌｏｓｓとＡｖｇ＿ＦＢＬ＿Ｐａｔｈｌｏｓｓとが比較される。Ａｖｇ＿ＭＬ＿Ｐａｔｈｌｏｓｓが大きい場合、ＵＬ及びＤＬの最大送信電力は、同じレベルで保持される（工程２５４）。
【００７６】
Ａｖｇ＿ＭＬ＿ＰａｔｈｌｏｓｓがＡｖｇ＿ＦＢＬ＿Ｐａｔｈｌｏｓｓ以下の場合、ＵＬ及びＤＬの最大送信電力が次のように設定される（工程２５６）。最大ＤＬ電力は、（最大検出ｎｏｄｅＢ  ＲＳＣＰ値のＲＳＣＰレベル）−｛１０×ｌｏｇ１０（ＣＰＩＣＨに割り振られた総フェムトセル基地局電力の割合）｝＋（室内損失）−（Ｐａｔｈｌｏｓｓ＿ａｄｊｕｓｔｍｅｎｔ）に設定される。最大ＵＬ電力は、ＭＬＰｒｘ．ｍｉｎ、即ち特定のデータ又は音声サービスをサポートするために基地局によって必要とされる最小信号電力に、Ａｖｇ＿ＭＬ＿Ｐａｔｈｌｏｓｓを加算した値に設定される。さらに、最小室内損失は、（室内損失の値）−（Ｐａｔｈｌｏｓｓ＿Ａｄｊｕｓｔｍｅｎｔ）に再設定される。
【００７７】
工程２５０で、Ａｖｇ＿Ｅｃ／ｌｏが所望のフェムトセル基地局ＵＥ  ＣＰＩＣＨ  Ｅｃ／ｌｏ以下であると決定された場合、プロセスは、工程２５８に進み、Ａｖｇ＿ＭＬ＿ＰａｔｈｌｏｓｓとＡｖｇ＿ＦＢＬ＿Ｐａｔｈｌｏｓｓとが再度比較される。
【００７８】
Ａｖｇ＿ＭＬ＿ＰａｔｈｌｏｓｓがＡｖｇ＿ＦＢＬ＿Ｐａｔｈｌｏｓｓ以下の場合、工程２６０で、最大ＤＬ電力は、（検出ＲＳＣＰ値が最大のｎｏｄｅＢのＲＳＣＰ値）−｛１０×ｌｏｇ１０（ＣＰＩＣＨに割り振られた総フェムトセル基地局電力の割合）｝＋（Ａｖｇ＿ＭＬ＿Ｐａｔｈｌｏｓｓ）に設定される。最大ＵＬ電力は、ＭＬＰｒｘ．ｍｉｎ、即ち特定のデータ又は音声サービスをサポートするために基地局によって必要とされる最小信号電力に、Ａｖｇ＿ＭＬ＿Ｐａｔｈｌｏｓｓを加算した値に設定される。
【００７９】
Ａｖｇ＿ＭＬ＿ＰａｔｈｌｏｓｓがＡｖｇ＿ＦＢＬ＿Ｐａｔｈｌｏｓｓより大きい場合、工程２６２で、最大ＤＬ電力は、（ＲＳＣＰ値が最大のｎｏｄｅＢのＲＳＣＰ値）−｛１０×ｌｏｇ１０（ＣＰＩＣＨに割り振られた総フェムトセル基地局電力の割合）｝＋（室内損失）＋（Ｐａｔｈｌｏｓｓ＿ａｄｊｕｓｔｍｅｎｔ）に設定される。最大ＵＬ電力は、ＭＬＰｒｘ．ｍｉｎ、即ち特定のデータ又は音声サービスをサポートするためにフェムトセル基地局によって必要とされる最小信号電力に、Ａｖｇ＿ＭＬ＿Ｐａｔｈｌｏｓｓを加算した値に設定される。更に、最小室内損失は、（室内損失の値）＋（Ｐａｔｈｌｏｓｓ＿Ａｄｊｕｓｔｍｅｎｔ）に再設定される。
【００８０】
工程２５６，２６０、又は２６２のうちの１つで、最大ＤＬ及びＵＬ電力がいったん設定されると、プロセスは、工程２６３及び２６４に同時に進む。工程２６３で、プロセスは、最大ＤＬ電力が最大許容フェムトセル基地局ＤＬ電力（管理システムによって設定されたパラメータ）を上回るか、下回るかをチェックする。最大ＤＬ電力が、最大許容電力以下である場合、その再設定された値のままである。しかし、最大ＤＬ電力が最大許容電力を上回る場合、最大ＤＬ電力が最大許容電力に変更され、管理システムに警告が送信される。例えば、最大ＤＬ電力が特定の音声又はデータサービスを稼働させるのに必要な電力を下回ることを示すフラグ設定することもできる。
【００８１】
工程２６４で、プロセスは、最大ＵＬ電力が最大許容フェムトセル基地局ＵＬ電力（管理システムによって設定されたパラメータ）を上回るか、下回るかをチェックする。最大ＵＬ電力が最大許容電力以下の場合、その再設定された値のままである。しかし、最大ＵＬ電力が最大許容電力を上回る場合、最大ＵＬ電力が最大許容電力に変更され、管理システムに警告が送信される。例えば、最大ＵＬ電力が特定の音声又はデータサービスを稼働させるのに必要な電力を下回ることを示すフラグを設定することもできる。
【００８２】
図６及び図７によって説明したプロセス全体を繰り返し、エラーイベントが起こるか、電力が最適値に収束するか、ホストプロセッサが、局所的な干渉レベルに有意な変更があり、搬送波、スクランブルコード、及びＵＬ及びＤＬの初期電力が再評価される必要があることを識別するまで、ＵＬ及びＤＬの最大電力を適応させる。
【００８３】
更にプロセスが反復されるにつれて、最小室内損失の値が適応される。例えば、最小室内損失は、最初は６０ｄＢに設定することができる。プロセスが実行されると、これは、工程２６２で終了することができる。Ｐａｔｈｌｏｓｓ＿Ａｄｊｕｓｔｍｅｎｔが１０ｄＢであることがわかった場合、最小室内損失は、７０ｄＢに再設定され、プロセスの次の反復では、室内損失は、７０ｄＢで開始する。
【００８４】
図８は、マクロレイヤ又はフェムトセル基地局レイヤから干渉が検出されない場合、ＵＬ及びＤＬの最大送信電力を適応させるために使用できる好ましいアルゴリズムのフローチャートである。
【００８５】
上述したように、ＵＥ測定値からヒストグラムが生成される。具体的には、これらは、フェムトセル基地局からフェムトセル基地局ＵＥへのパスの損失、及びフェムトセル基地局ＵＥ  ＣＰＩＣＨ  Ｅｃ／ｌｏ測定値である。これらのヒストグラムから、以下の量を計算することができる。
【００８６】
Ａｖｇ＿Ｅｃ／ｌｏ＝上位１０％のフェムトセル基地局ＵＥ  ＣＰＩＣＨ  Ｅｃ／ｌｏ値の平均
Ａｖｇ＿ＦＢＬ＿Ｐａｔｈｌｏｓｓ＝上位１０％のＦＢからＦＢ  ＵＥへのパスの損失の平均
Ｐａｔｈｌｏｓｓ＿ａｄｊｕｓｔｍｅｎｔ＝［（１／２）×（Ａｖｇ＿ＦＢＬ＿Ｐａｔｈｌｏｓｓ−最大許容ＦＢパス損失）］の絶対値
最大許容フェムトセル基地局パス損失は、管理システムによって提供され、想定される最大室内パス損失（一般に、約９０ｄＢ）に基づく。
【００８７】
室内損失は、図７を参照して説明したように、最小室内損失の値に設定される。
【００８８】
工程２７０で、Ａｖｇ＿Ｅｃ／ｌｏと所望のフェムトセル基地局ＵＥ  ＣＰＩＣＨ  Ｅｃ／ｌｏとが比較される。Ａｖｇ＿Ｅｃ／ｌｏが大きい場合、プロセスは、工程２７４に進み、Ａｖｇ＿ＦＢＬ＿Ｐａｔｈｌｏｓｓと最大許容フェムトセル基地局パス損失とが比較される。Ａｖｇ＿ＦＢＬ＿Ｐａｔｈｌｏｓｓが最大許容フェムトセル基地局パス損失以下の場合、ＵＬ及びＤＬの最大送信電力は、同じレベルで保持される（工程２７５）。
【００８９】
Ａｖｇ＿ＦＢＬ＿Ｐａｔｈｌｏｓｓが最大許容フェムトセル基地局パス損失より大きい場合、ＵＬ及びＤＬの最大送信電力が次のように設定される（工程２７６）。最大ＤＬ電力は、（ＵＥＰｒｘ．ｍｉｎ）＋（室内損失）−（Ｐａｔｈｌｏｓｓ＿ａｄｊｕｓｔｍｅｎｔ）に設定される。最大ＵＬ電力は、（ＦＢＰｒｘ．ｍｉｎ）＋（室内損失）−（Ｐａｔｈｌｏｓｓ＿ａｄｊｕｓｔｍｅｎｔ）に設定される。最小室内損失は、（室内損失）−（Ｐａｔｈｌｏｓｓ＿Ａｄｊｕｓｔｍｅｎｔ）に再設定される。
【００９０】
工程２７０で、Ａｖｇ＿Ｅｃ／ｌｏが所望のフェムトセル基地局ＵＥ  ＣＰＩＣＨ  Ｅｃ／ｌｏ以下であると決定された場合、プロセスは、工程２７２に進み、Ａｖｇ＿ＦＢＬ＿Ｐａｔｈｌｏｓｓと最大許容フェムトセル基地局パス損失とが再度比較される。
【００９１】
Ａｖｇ＿ＦＢＬ＿Ｐａｔｈｌｏｓｓが大許容フェムトセル基地局パス損失以下の場合、工程２７７で、最大ＤＬ電力は、（ＵＥＰｒｘ．ｍｉｎ）＋（室内損失）＋（Ｐａｔｈｌｏｓｓ＿ａｄｊｕｓｔｍｅｎｔ）に設定される。最大ＵＬ電力は、（ＦＢＰｒｘ．ｍｉｎ）＋（室内損失）＋（Ｐａｔｈｌｏｓｓ＿ａｄｊｕｓｔｍｅｎｔ）に設定される。最小室内損失は、（室内損失）＋（Ｐａｔｈｌｏｓｓ＿Ａｄｊｕｓｔｍｅｎｔ）に設定される。
【００９２】
Ａｖｇ＿ＭＬ＿ＰａｔｈｌｏｓｓがＡｖｇ＿ＦＢＬ＿Ｐａｔｈｌｏｓｓを上回る場合、エラー警告が管理システムに送信される（工程２７８）。
【００９３】
工程２７６又は２７７で、ＤＬ及びＵＬの最大電力がいったん設定されると、プロセスは、工程２７８及び２７９に同時に進む。工程２７９で、プロセスは、最大ＤＬ電力が最大許容フェムトセル基地局ＤＬ電力（管理システムによって設定されたパラメータ）を上回るか、下回るかをチェックする。最大ＤＬ電力が最大許容電力以下の場合、その再設定された値のままである。しかし、最大ＤＬ電力が最大許容電力を上回る場合、最大許容電力に変更され、管理システムに警告が送信される。例えば、最大ＤＬ電力が、特定の音声又はデータサービスを稼働させるのに必要な電力を下回ることを示すフラグを設定することもできる。
【００９４】
工程２７９で、プロセスは、最大ＵＬ電力が最大許容フェムトセル基地局ＵＬ電力（管理システムによって設定されたパラメータ）を上回るか、下回るかをチェックする。最大ＵＬ電力が最大許容電力以下の場合、その再設定された値のままである。しかし、最大ＵＬ電力が最大許容電力を上回る場合、最大ＵＬ電力が最大許容電力に変更され、管理システムに警告が送信される。例えば、最大ＵＬ電力が特定の音声又はデータサービスを稼働させるのに必要な電力を下回ることを示すフラグを設定することもできる。
【００９５】
図６及び図８によって説明したプロセス全体を繰り返し、エラーイベントが起こるか、電力が最適値に収束するか、ホストプロセッサが、局所的な干渉レベルに有意な変更があり、搬送波、スクランブルコード、及びＵＬ及びＤＬの初期電力が再評価される必要があることを識別するまで、ＵＬ及びＤＬの最大電力を適応させる。この場合もまた、プロセスが反復するにつれて、最小室内損失の値が適応される。
【００９６】
最大ＤＬ送信電力は、フェムトセル基地局から使用可能であり、フェムトセル基地局ＵＥごとに測定される報告された往復時間（ＲＴＴ）測定値に基づいても適応される。所定の数のＲＴＴサンプル（一般に９０％）が予想されたカバレージエリア内であるように、ＲＴＴ測定値のヒストグラムが全ての呼について構築され、最大ＤＬ送信電力が適応される。
【００９７】
更に、ランダムアクセスチャネル（ＲＡＣＨ）測定値を使用して、モバイル機器が呼をセットアップしようとしているアクセスポイントからの距離を判定することができる。セットアップされた呼が予想されたカバレージエリア外である場合、その呼を拒否することができる。
【００９８】
未登録のモバイル機器からの複数のアクセスなどのエラー状態は、ＤＬカバレージが大きすぎること、又は（例えば、市を見下ろす窓など）ユーザが不要なＤＬマクロレイヤ干渉をもたらしている場所にフェムトセル基地局を配置していることを示す可能性がある。この状況で、最大ＤＬ送信電力は、このエラーイベントが所定の閾値以下になるように低減することができる。或いは、問題を管理システムに報告することができ、管理システムは、もたらす干渉が少ない位置に装置を再配置するよう要求するメッセージをユーザに送信することができる。従って、基地局は、ＤＬ及びＵＬの最大送信電力を適応させるために、未登録のモバイル機器によるアクセス試行の知識を使用することができる。
【００９９】
上述したように、エラー状態を検出することができ、管理システムに報告することができるいくつかの方法がある。例えば、特定の電力レベル、又は意図されたカバレージエリア外のモバイル機器からのいくつかのアクセス試行についての情報を使用する必要が生じる可能性がある。これらは、基地局の構成が過度の干渉をもたらすことになるか、そうでない場合は、害になることを示す可能性がある。これらの各状況において、問題は、例えば、窓から離す、意図されたカバレージエリアの中央近くの場所に向けるなど、基地局の再配置によって解決することができる。従って、エラー状態に応答して、基地局を再配置することを要求するメッセージを、管理システムから基地局のユーザに送信することができる。このメッセージは、基地局自体において表示することもでき、あるいは、基地局に接続されている装置に送信することもできる。この再配置は、エラー状態が解決されるまで実行することができ、従って、疑似閉ルール制御（pseudo-closed loop control）として機能する。
【０１００】
従って、基地局の操作の方法と、こうした使用に適応している基地局が記載されており、基地局は、互いに、又はネットワークにおける他の基地局との過度の干渉なく、セルラー式ネットワーク内で動作するために、それ自体を構成することができる。
【図１】
0005453564.tif 000002
【図２】
0005453564.tif 000003
【図３】
0005453564.tif 000004
【図４】
0005453564.tif 000005
【図５】
0005453564.tif 000006
【図６】
0005453564.tif 000007
【図７】
0005453564.tif 000008
【図８】
0005453564.tif 000009